(57)【要約】【課題】回転トルクを小さくすることができ、且つ確実にランプを装着できるランプソケット及びそれを用いた照明器具を提供する。【解決手段】ランプソケットＢは、ソケット本体４を備えており、ソケット本体４の前面側には口金部を収納する収納凹部が設けられている。この収納凹部の側壁には、ランプの挿入方向に沿って挿通溝が設けられており、またランプの回転方向に沿って係合溝５ｂが挿通溝と連通して設けられている。これらの挿通溝及び係合溝５ｂ内には、口金部に設けた突出部と係止する保持ばね及び係止ばね７がそれぞれ配置されている。係止ばね７は、位置決め固定片７ａを有しており、位置決め固定片７ａの一端側には可動ばね片７ｂが折り返して形成されている。そして、位置決め固定片７ａから可動ばね片７ｂへの折り返し部位には略円弧状の膨出部７ｆが設けられており、可動ばね片７ｂの先端側には係止片７ｃが形成されている。【選択図】図１
2008130386.tif 000002
【特許請求の範囲】
【請求項１】
ランプピンが底部に突設され互いに対向する両側面に突出部がそれぞれ形成された片口金ランプの口金部が挿入される収納凹部を前面側に有し、当該収納凹部の側壁に前記口金部を当該収納凹部に挿入させる際に前記突出部を挿通させる挿通溝及び当該挿通溝と連通し前記口金部を一方向に回転させた際に前記突出部が進入する係合溝が設けられたソケット本体と、前記係合溝内に配置されて前記突出部と係止する係止ばねとを備え、当該係止ばねは前記係合溝に固定するための固定部と、当該固定部の一端側を折り返して形成され前記突出部に係止する可動ばね部とを有しており、前記固定部から当該可動ばね部への折り返し部分に円弧状の膨出部を設けたことを特徴とするランプソケット。
【請求項２】
請求項１記載のランプソケットと、ランプと、当該ランプに電源を供給する電源手段とを備えたことを特徴とする照明器具。
【発明の詳細な説明】
【技術分野】
【０００１】
本発明は、ランプソケット及びそれを用いた照明器具に関するものである。
【背景技術】
【０００２】
従来より、図６及び図７に示すように片口金タイプのランプを装着するランプソケットＢがあった（例えば特許文献１参照）。このランプソケットＢは樹脂製のソケット本体４を備えており、ソケット本体４の前面側にはランプの口金部を収納する収納凹部が設けられている。この収納凹部の幅方向に沿う両側壁には、口金部の幅方向に沿う両側壁にそれぞれ設けた突出部２ａを挿通させるための挿通溝がそれぞれ設けられており、各挿通溝には口金部を回転させた際に突出部２ａが進入する係合溝５ｂがそれぞれ連設されている。また、各係合溝５ｂ内には進入した突出部２ａを係止する係止ばね７がそれぞれ配置されている。この係止ばね７は、係合溝５ｂの上面に設けられた位置決め突起５ｋと対応する位置に位置決め孔７ｄが設けられた略矩形板状の位置決め固定片７ａを有しており、位置決め固定片７ａの両端側から係止片７ｅ、７ｅが略ハ字状に折曲形成されている。また、位置決め固定片７ａの一端側には、突出部２ａと弾性自在に弾接する可動ばね片７ｂが折り返して形成されており、可動ばね片７ｂの先端側には突出部２ａと係止する係止片７ｃが形成されている。この係止ばね７は、図６（ａ）に示すように、位置決め孔７ｄを位置決め突起５ｋに圧入嵌合し、両係止片７ｅ、７ｅをそれぞれ係合溝５ｂ内に設けられた係止凹部５ｐ、５ｐに係止させて取付けられる。
【０００３】
このランプソケットＢにランプを装着する際の突出部２ａと係止ばね７との関係について、図７に基づいて説明する。まず、口金部を前面側から収納凹部に挿入すると、突出部２ａが挿通溝に挿入されて、図７（ａ）に示す位置に配置される。そして、口金部を収納凹部の底部と略平行な面に沿って回転させると、突出部２ａが係合溝５ｂに進入し、図７（ｂ）に示すように突出部２ａに押されて可動ばね片７ｂが弾性変形する。そして、さらに口金部を回転させると、図７（ｃ）に示すように突出部２ａが下向きに弾性付勢された状態で係止片７ｃと係止し、ランプがランプソケットＢに装着される。
【特許文献１】特開２００１−３５７９５０号公報（第３頁−第４頁、及び、第１図−第４図）
【発明の開示】
【発明が解決しようとする課題】
【０００４】
上述の特許文献１に示したランプソケットＢでは、突出部２ａを係止ばね７に係止させる際に係止ばね７の付勢力に逆らって力を加える必要があり、ランプ着脱時に比較的大きな回転トルクが必要であった。
【０００５】
そこで、ランプ着脱時の回転トルクを低減するために、係止ばね７の板厚や板幅を小さくする方法が挙げられるが、この場合回転トルクを小さくすることはできるが、係止ばね７自体の強度が低下するという問題があった。
【０００６】
ここで、図７（ａ）に示すように係合溝５ｂの高さ寸法Ｈ１を一定とする場合、突出部２ａの高さ寸法ｈ１、可動ばね片７ｂの長さ寸法Ｌ１及び位置決め固定片７ａと可動ばね片７ｂとがなす角α１を変えることによって回転トルクを小さくすることができる。そこで、図８（ａ）に示すように、可動ばね片７ｂの長さ寸法をＬ２（Ｌ２＞Ｌ１）とした場合、支点Ｐ（位置決め固定片７ａから可動ばね片７ｂへの折り返し部位）から力点Ｑ（可動ばね片７ｂと突出部２ａとの接触部位）までの距離を長くすることができるので、図８（ｂ）に示す状態において回転トルクを小さくすることができるが、可動ばね片７ｂの延長分（Ｌ２−Ｌ１）に応じてＹ寸法（図８（ｃ）参照）だけ突出部２ａの移動距離も長くなるので、突出部２ａを係止片７ｃに係止させるためにはソケット本体４を大きくする必要があった。また、ランプピンの配列によっては、構造上成立しない場合もあった。さらに、位置決め固定片７ａと可動ばね片７ｂとがなす角α１のみを小さくした場合、回転トルクを小さくすることができるが、突出部２ａが係止片７ｃと係止した際に突出部２ａが係止片７ｃから受ける付勢力が小さくなり、ランプがランプソケットＢに確実に装着できない虞れがあった。従って、位置決め固定片７ａと可動ばね片７ｂとがなす角はα１以上にする必要がある。
【０００７】
また、図９に示すように、係止ばね７の係止片７ｃの先端側に突出部２ａと当接する当接片７ｇを設け、図７と逆向きに取付ける方法も挙げられる。この場合、係止片７ｃの長さ分だけ支点Ｐから力点Ｑまでの距離を長くすることができるので、回転トルクを小さくすることができる。しかし、位置決め固定片７ａと可動ばね片７ｂとがなす角α４（α４＞α１）が大きいので、突出部２ａを係合溝５ｂに沿って進入させた際に、突出部２ａが当接片７ｇを押し込み、可動ばね片７ｂが挫屈変形する虞れがあった（図９（ｂ）参照）。
【０００８】
そこで、可動ばね片７ｂの挫屈変形を防止するために、図１０に示すように図９の係止ばね７に対して位置決め固定片７ａと可動ばね片７ｂとがなす角をα２（α２＜α４）とした場合、突出部２ａを係合溝５ｂに沿って進入させた際に突出部２ａが当接片７ｇを押し込むことなく、当接片７ｇに当接しながら移動するので、可動ばね片７ｂの挫屈変形を防止することができる。しかしこの場合、支点Ｐから力点Ｑまでの水平距離Ｘ２が長くなり、ソケット本体４が大型化するという問題があった。
【０００９】
本発明は上記問題点に鑑みて為されたものであり、その目的とするところは、回転トルクを小さくすることができ、且つ確実にランプを装着できるランプソケット及びそれを用いた照明器具を提供することにある。
【課題を解決するための手段】
【００１０】
請求項１の発明は、ランプピンが底部に突設され互いに対向する両側面に突出部がそれぞれ形成された片口金ランプの口金部が挿入される収納凹部を前面側に有し、当該収納凹部の側壁に口金部を当該収納凹部に挿入させる際に突出部を挿通させる挿通溝及び当該挿通溝と連通し口金部を一方向に回転させた際に突出部が進入する係合溝が設けられたソケット本体と、係合溝内に配置されて突出部と係止する係止ばねとを備え、当該係止ばねは係合溝に固定するための固定部と、当該固定部の一端側を折り返して形成され突出部に係止する可動ばね部とを有しており、固定部から当該可動ばね部への折り返し部分に円弧状の膨出部を設けたことを特徴とする。
【００１１】
請求項２の発明は、請求項１記載のランプソケットと、ランプと、当該ランプに電源を供給する電源手段とを備えたことを特徴とする。
【発明の効果】
【００１２】
請求項１の発明によれば、係止ばねにおいて、固定部から可動ばね部への折り返し部分に円弧状の膨出部を設けることによって、膨出部がない場合に比べて支点から力点までの距離を長くすることができるので、回転トルクを小さくすることができる。また、係止ばねに設けた膨出部を収納するための収納スペースをソケット本体に設けるだけでいいので、ソケット本体を大きくしなくてもよい。さらに、膨出部を設けることによって、ソケット本体を大きくすることなく固定部と可動ばね部とがなす角を小さくすることができるので、可動ばね部の挫屈変形を防止することができる。従って、ソケット本体のサイズを変えることなく、ランプを小さな回転トルクで確実に着脱できるランプソケットを提供することができるという効果がある。また、係止ばねの板厚や板幅を小さくしていないので、係止ばね自体の強度を保持することができるという効果もある。
【００１３】
請求項２の発明によれば、請求項１記載のランプソケットを用いることによって、小さな回転トルクでランプを着脱することができるので、ランプを着脱するための回転作業スペースを最小限にすることができ、照明器具を小型化することができるという効果がある。
【発明を実施するための最良の形態】
【００１４】
本発明の実施形態を図１〜図５に基づいて説明する。本発明に係るランプソケットＢは、図５に示すように、例えば天井面（図示せず）に取付けられた照明器具Ｃに取付けられており、ランプＡとランプＡに電源を供給するインバータ１４とを電気的に接続した状態でランプＡを保持するために用いられる。
【００１５】
まず、ランプＡについて図２、図４及び図５に基づいて説明する。ランプＡは、螺旋状に形成された発光管１を備えた片口金蛍光ランプであって、下端側には口金部２が設けられている。この口金部２の底部には、複数（図５（ａ）において４本）のランプピン３が突設されており、口金部２において互いに対向する一方の両側壁には、突出部２ａ、２ａがそれぞれ突設されている。ここに、図４（ａ）に示すように突出部２ａは高さ寸法ｈ２（ｈ２＝ｈ１）に形成されている（ｈ１については図７（ａ）参照）。
【００１６】
次にランプソケットＢについて図１〜図４に基づいて説明する。ランプソケットＢは、ランプＡの口金部２を収納するための収納凹部５ａを前面側に有するソケット本体４と、ソケット本体４の裏面側に配設され、ランプピン３と電源線（図示せず）とを電気的に接続するための導電部材９と、ランプＡの口金部２をソケット本体４の収納凹部５ａに挿入した際に突出部２ａと係止して仮保持する保持ばね８と、収納凹部５ａに挿入した口金部２を回転させた際に突出部２ａを係止させる係止ばね７とを備えている。
【００１７】
ソケット本体４は、絶縁材料により形成されており、前面側に収納凹部５ａを備えた横長の略箱形状の口金収納部５と、裏面側に導電部材９を収納するための収納凹部６ａを有する導電部材収納部６とを一体に形成して構成されている。
【００１８】
口金収納部５は、収納凹部５ａの底部にランプピン３が挿入される略楕円形状のランプピン挿入孔（図示せず）が４個設けられており、収納凹部５ａの幅方向に沿う両側壁には口金部２に設けた両突出部２ａ、２ａを挿通させるための挿通溝５ｃ、５ｃが形成されている。これらの挿通溝５ｃは、ランプＡの挿入方向（図２のＤの方向）に沿って、口金部２の回転中心に対して対角の位置にそれぞれ形成されている。また、各挿通溝５ｃの前面側端縁には面取り５ｄがそれぞれ施されており、各挿通溝５ｃに対向する口金収納部５の外周面には、挿通溝５ｃの位置を表示するための断面円弧状の突起部５ｅがそれぞれ一体に形成されている。さらに、収納凹部５ａの幅方向に沿う両側壁には、各挿通溝５ｃと連通する係合溝５ｂが口金部２の回転方向（図２のＥの方向）に沿ってそれぞれ形成されており、連通する挿通溝５ｃと係合溝５ｂとの間にはリブ５ｎが裏面側に向かってそれぞれ突設されている。ここに、図４（ａ）に示すように係合溝５ｂは高さ寸法Ｈ２（Ｈ２＝Ｈ１）に形成されている（Ｈ１については図７（ａ）参照）。また、図１及び図４に示すように各係合溝５ｂの上面には、後述する係止ばね７を位置決めするための位置決め突起５ｋが突設されており、この位置決め突起５ｋを間にして両側には、係止ばね７の各係止片７ｅと係止する係止凹部５ｐがそれぞれ形成されている。さらに、係合溝５ｂの上面には、係止ばね７の膨出部７ｆを収納するための膨出部収納凹部５ｓが形成されており、口金収納部５の外周面において各係合溝５ｂと対応する部位には、各係合溝５ｂと連通する開口部５ｆ、５ｆがそれぞれ設けられている。また、口金収納部５の裏面側には、図３に示すように後述する保持ばね８を挿通して係止するための挿通係止孔５ｇが設けられており、挿通係止孔５ｇの途中位置には保持ばね８の抜け止め片８ｃと係止する段部（図示せず）が設けられている。
【００１９】
導電部材収納部６は、図３に示すように裏面側に４個の導電部材９を収納するための収納凹部６ａが形成されており、この収納凹部６ａの幅方向に沿う両端側において長手方向略中央には、後述する裏カバー１０に設けた一対の弾性係止片１０ａをそれぞれ挿通して係止するための挿通係止孔６ｂがそれぞれ設けられている。
【００２０】
ここで、裏カバー１０について図３に基づいて説明する。裏カバー１０は、導電部材収納部６の収納凹部６ａの開口を塞ぐように略矩形板状に形成されており、各挿通係止孔６ｂに対応する部位には、先端側に係止爪１０ｄを有する弾性係止片１０ａがそれぞれ突設されている。また、裏カバー１０の長手方向に沿う両端側には、電源線を挿入するための電源線挿入孔１０ｂがそれぞれ各２個ずつ設けられており、各電源線挿入孔１０ｂには電源線の接続を解除するための電源線解除孔１０ｃがそれぞれ連設されている。
【００２１】
次に、導電部材９について図３に基づいて説明する。各導電部材９は、導電材料で形成されており、ランプピン３を挟持するための略コ字状の挟持片９ａを有している。また、挟持片９ａの一端側には、電源線を接続するための速結端子９ｂが一体に設けられており、挟持片９ａと速結端子９ｂの差込口が互いに反対向きとなるように配置されている。尚、速結端子９ｂは従来周知の構成を有しているので、その説明は省略する。
【００２２】
さらに、係止ばね７について図１、図３及び図４に基づいて説明する。係止ばね７は、係合溝５ｂに設けた位置決め突起５ｋと対応する部位に位置決め孔７ｄが設けられた位置決め固定片７ａを有しており、位置決め固定片７ａの両端側から係止凹部５ｐ、５ｐと係止する係止片７ｅ、７ｅが略ハ字状に折曲形成されている。また、位置決め固定片７ａの一端側には突出部２ａと弾性自在に弾接する可動ばね片７ｂが折り返して形成されており、位置決め固定片７ａから可動ばね片７ｂへの折り返し部位には略円弧状の膨出部７ｆが設けられている。さらに、可動ばね片７ｂの先端側には突出部２ａと係止する係止片７ｃが形成されている。ここに、位置決め固定片７ａは長さ寸法Ｘ３（Ｘ３＝Ｘ１）に、可動ばね片７ｂは長さ寸法Ｌ３（Ｌ３＝Ｌ１）にそれぞれ形成されており、位置決め固定片７ａと可動ばね片７ｂとがなす角はα３（α１≦α３＜α４）に形成されている（Ｘ１、Ｌ１、α１、α４については図７（ａ）及び図９（ａ）参照）。また、位置決め固定片７ａと両係止片７ｅ、７ｅとで固定部が構成されており、可動ばね片７ｂと係止片７ｃとで可動ばね部が構成されている。尚、膨出部７ｆは、曲率半径を０．５ｍｍ〜２ｍｍの範囲で、且つ位置決め固定片７ａからの突出高さを０．２５ｍｍ〜１ｍｍの範囲で形成するのが望ましい。
【００２３】
次に、保持ばね８について図３に基づいて説明する。保持ばね８は、略矩形板状の取付片８ｂを有しており、取付片８ｂの一端側を折り返して保持片８ａが形成されている。この保持片８ａは、先端側が略く字状に折り曲げられており、取付片８ｂの幅方向両端側には、取付片８ｂの一部を切り起こして保持片８ａと反対側に折り曲げられた抜け止め片８ｃ、８ｃが形成されている。
【００２４】
ここで、ランプソケットＢの組み立て方法について図１〜図４に基づいて説明する。まず、導電部材９を取付ける方法について説明する。各導電部材９の挟持片９ａを前面側に向けた状態で導電部材収納部６の収納凹部６ａにそれぞれ挿入する。そして、裏面側から裏カバー１０の各弾性係止片１０ａをそれぞれ挿通係止孔６ｂに挿通すると、各弾性係止片１０ａの係止爪１０ｄが導電部材収納部６にそれぞれ係止して裏カバー１０が取付けられ、導電部材９の取付けが完了する。取付状態において、各導電部材９は収納凹部６ａの底部と裏カバー１０とで位置決めされており、挟持片９ａはランプピン挿入孔を臨んで配置され、速結端子９ｂは電源線挿入孔１０ｂを臨んで配置されている。
【００２５】
次に、係止ばね７を取付ける方法について説明する。各係止ばね７を外側から各開口部５ｆを通して係合溝５ｂに挿入する。そして、係合溝５ｂの位置決め突起５ｋに位置決め固定片７ａの位置決め孔７ｄを圧入嵌合し、両係止片７ｅ、７ｅを係止凹部５ｐ、５ｐにそれぞれ係止させると、係止ばね７の取付けが完了する。取付状態において、係止ばね７の可動ばね片７ｂは係合溝５ｂ内に配置されており、膨出部７ｆは膨出部収納凹部５ｓ内に収納されている。
【００２６】
さらに、保持ばね８を取付ける方法について説明する。各保持ばね８の取付片８ｂから保持片８ａへの折り返し部位を前面側に向けた状態で裏面側から各挿通係止孔５ｇにそれぞれ挿入する。そして、各抜け止め片８ｃを各挿通係止孔５ｇに設けた段部にそれぞれ係止させると、保持ばね８の保持片８ａが挿通溝５ｃ内に配置された状態で保持ばね８の取付けが完了する。取付状態において、保持ばね８は抜け止め片８ｃ、８ｃが段部と係止することによって、差込方向と逆方向への抜けが防止されている。
【００２７】
ここで、ランプＡをランプソケットＢに装着する際の動作を図４に基づいて説明する。まず、口金部２と収納凹部５ａの位置を合わせて口金部２を収納凹部５ａの底部に当接するまで挿入すると、突出部２ａは挿通溝５ｃ内に挿入されて、図４（ａ）に示す位置に配置される。この時、各ランプピン３は、対応するランプピン挿入孔内にそれぞれ挿入されて、導電部材９と非接触の状態で保持されている。この状態から口金部２を回転させると、図４（ｂ）に示すように突出部２ａが係合溝５ｂ内に進入し、突出部２ａに押されて可動ばね片７ｂが弾性変形する。そして、さらに口金部２を回転させると、図４（ｃ）に示すように突出部２ａは下向きに弾性付勢された状態で係止片７ｃと係止し、口金部２が収納凹部５ａの底部に押付けられた状態で保持されて、ランプＡがランプソケットＢに装着される。この時、各ランプピン３は、口金部２の回転動作に従ってランプピン挿入孔内をそれぞれ移動し、対応する導電部材９にそれぞれ接触して電気的に接続される。
【００２８】
逆に、ランプソケットＢからランプＡを取り外す場合には、まず口金部２を取付方向と反対方向に回転させると、突出部２ａと係止片７ｃとの係止が外れる。この時、各ランプピン３は、導電部材９と不安定な状態で接続している。さらに、口金部２を回転させると、突出部２ａが係合溝５ｂに沿って挿通溝５ｃまで移動する。この時、ランプピン３と導電部材９との接続が解除される。そして、ランプＡを引き抜くと、突出部２ａが挿通溝５ｃに沿って前面側に移動し、ランプＡがランプソケットＢから取り外される。
【００２９】
このランプソケットＢでは、係止ばね７において、位置決め固定片７ａからから可動ばね片７ｂへの折り返し部分に略円弧状の膨出部７ｆを設けることによって、支点Ｐから力点Ｑまでの距離を長くすることができるので、回転トルクを小さくすることができる。また、膨出部７ｆを設けているだけなので、取付状態において対応する部位に膨出部収納凹部５ｓを設けるだけでよく、ソケット本体４を大きくしなくてもよい。さらに、膨出部７ｆを設けることによって、ソケット本体４を大きくすることなく位置決め固定片７ａと可動ばね片７ｂとがなす角α３を小さくすることができるので（α３＜α４）、可動ばね片７ｂの挫屈変形を防止することができる。従って、ソケット本体４のサイズを変えることなく、ランプＡを小さな回転トルクで確実に着脱できるランプソケットＢを提供することができる。また、係止ばね７の板厚や板幅を小さくしていないので、係止ばね７自体の強度を保持することもできる。
【００３０】
尚、係止ばね７の形状は本実施形態に限定されるものではなく、図９に示すような係止ばね７に膨出部７ｆを設けたものでもよい。また、保持ばね８の形状も本実施形態に限定されるものではなく、配置箇所等に応じて適宜設計してもよい。
【００３１】
ここで、上述のランプソケットＢを用いた照明器具Ｃの一実施形態を図５に基づいて説明する。照明器具Ｃは、下面が開口し、開口端縁に鍔部１２ａを有する反射板１２を備えており、鍔部１２ａの近傍には取付ばね１３が取付けられている。この反射板１２は天板１６に取付けられており、反射板１２内には、ランプソケットＢが配設されている。また、天板１６にはランプＡに電源を供給するためのインバータ１４と、外部から配線された電源線（図示せず）が接続される電源端子台１５とが取付けられており、インバータ１４からのリード線（図示せず）が電源線挿入孔１０ｂに挿入されて、インバータ１４とランプソケットＢとの間が電気的に接続されている。
【００３２】
この照明器具Ｃは、天井面に設けた埋込孔（図示せず）を介して天井裏に配設され、取付ばね１３と鍔部１２ａとの間で天井材を挟持した状態で取付けられる。そして、図５（ａ）のように下面側からランプＡを反射板１２内に挿入し、ランプＡをランプソケットＢに装着すると、図５（ｂ）に示すように照明器具Ｃの取付けが完了する。
【００３３】
この照明器具Ｃでは、本発明に係るランプソケットＢを用いることによって、小さな回転トルクでランプＡを着脱することができるので、ランプＡを着脱するための回転作業スペースを最小限にすることができる。従って、反射板１２の内径（図５（ｂ）のφＤ１）を小さくすることができるので、照明器具Ｃを小型化することができる。
【００３４】
尚、本実施形態では、螺旋状の発光管１を用いたランプＡで説明したが、用いるランプＡは本実施形態に限定されるものではなく、片口金タイプのランプであればよい。さらに、ソケット本体４の形状も本実施形態に限定されるものではなく、適宜設計してもよい。
【図面の簡単な説明】
【００３５】
【図１】（ａ）は本実施形態のランプソケットの斜視図である。（ｂ）は同上に用いる係止ばねの斜視図である。
【図２】同上にランプを装着する前の斜視図である。
【図３】同上の分解斜視図である。
【図４】（ａ）〜（ｃ）は同上にランプを装着する際の突出部と係止ばねとの関係を説明する説明図である。
【図５】（ａ）は同上を用いた照明器具にランプを取付ける前の状態図である。（ｂ）は同上を用いた照明器具にランプを取付けた状態の状態図である。
【図６】（ａ）は従来例のランプソケットの斜視図である。（ｂ）は同上のランプソケットに用いる係止ばねの斜視図である。
【図７】（ａ）〜（ｃ）は同上のランプソケットにランプを装着する際の突出部と係止ばねとの関係を説明する説明図である。
【図８】（ａ）〜（ｃ）は同上の他のランプソケットにランプを装着する際の突出部と係止ばねとの関係を説明する説明図である。
【図９】（ａ）、（ｂ）は同上のさらに他のランプソケットにランプを装着する際の突出部と係止ばねとの関係を説明する説明図である。
【図１０】同上のさらに他のランプソケットの突出部と係止ばねとの関係を示す状態図である。
【符号の説明】
【００３６】
２    口金部
２ａ  突出部
３    ランプピン
４    ソケット本体
５ａ  収納凹部
５ｂ  係合溝
５ｃ  挿通溝
５ｓ  膨出部収納凹部
７    係止ばね
７ａ  位置決め固定片
７ｂ  可動ばね片
７ｃ  係止片
７ｅ  係止片
７ｆ  膨出部
Ａ    ランプ
Ｂ    ランプソケット
【図１】
2008130386.tif 000003
【図２】
2008130386.tif 000004
【図３】
2008130386.tif 000005
【図４】
2008130386.tif 000006
【図５】
2008130386.tif 000007
【図６】
2008130386.tif 000008
【図７】
2008130386.tif 000009
【図８】
2008130386.tif 000010
【図９】
2008130386.tif 000011
【図１０】
2008130386.tif 000012